(57)【要約】【課題】  データ放送上では既に消去されてしまったニュースを含めた一連の関連ニュースをユーザーに提示することができるディジタル放送受信装置を提供する。【解決手段】  ＣＰＵ１３は、ユーザーによって入力又は指定された一つ又は複数のニュース項目（例えば、サッカーニュース）をメモリ１４に登録する。また、ＣＰＵ１３は、前記ニュース項目に合致するニュースが受信したデータ放送に存在する場合に当該ニュースのデータを当該項目に対応付けてメモリ１４に保存する。更に、ＣＰＵ１３は、ユーザーによって保存済ニュースの提示の指示を受けたときに前記メモリ１４からニュースのデータ（リスト）を読み出して画面に表示する。そして、指定されたリストのニュース内容を画面に表示する。【選択図】        図１
2007096715.tif 000002
【特許請求の範囲】
【請求項１】
データ放送を受信することができるディジタル放送受信装置において、ユーザーによって入力又は指定された一つ又は複数のニュース項目を登録する手段と、前記ニュース項目に合致するニュースが受信したデータ放送に存在する場合に当該ニュースのデータを当該項目に対応付けて保存する保存手段と、ユーザーによって保存済ニュースの提示の指示を受けたときに前記保存手段からニュースのデータを読み出して画面に表示する手段と、を備えたことを特徴とするディジタル放送受信装置。
【請求項２】
請求項１に記載のディジタル放送受信装置において、前記ニュースのデータは映像データを含むことを特徴とするディジタル放送受信装置。
【請求項３】
請求項１又は請求項２に記載のディジタル放送受信装置において、前記ニュースのデータを取得するデータ放送チャンネルをユーザーが予め指定できるように構成されたことを特徴とするディジタル放送受信装置。
【請求項４】
請求項１乃至請求項３のいずれかに記載のディジタル放送受信装置において、テレビ電源ＯＦＦ操作されがなされたときに、前記ニュースのデータを取得するためのデータ放送受信処理を実行し、その後にテレビ電源ＯＦＦ処理を実行することを特徴とするディジタル放送受信装置。
【請求項５】
請求項１乃至請求項４のいずれかに記載のディジタル放送受信装置において、所定時間おきにテレビ電源ＯＦＦ状態から自動的に起動して前記ニュースのデータを取得するためのデータ放送受信処理を実行し、その後に自動的にテレビ電源ＯＦＦ処理を実行することを特徴とするディジタル放送受信装置。
【請求項６】
請求項１乃至請求項５のいずれかに記載のディジタル放送受信装置において、最後に取得したニュースの日時と現在日時とを比較し、ニュースを最後に取得した時点から所定時間が経過しているデータ放送チャンネルをニュース取得の対象チャンネルとすることを特徴とするディジタル放送受信装置。
【請求項７】
請求項１乃至請求項６のいずれかに記載のディジタル放送受信装置において、取得したニュースの提示の指示を受けたときに、ニュースタイトルのリスト表示を行い、その後に各ニュースタイトルのニュース内容を順次に或いは指定されたニュースタイトルについて、ニュース内容を表示することを特徴とするディジタル放送受信装置。
【発明の詳細な説明】
【技術分野】
【０００１】
この発明は、データ放送を受信することができるディジタル放送受信装置に関する。
【背景技術】
【０００２】
衛星（ＣＳ，ＢＳ）や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
かかるディジタル放送においては、番組の映像音声の放送の他にデータ放送が行われる（特許文献１参照）。データ放送の表示は、リモコン送信機に設けられたデータボタン（ｄキー）が押下されたとき行われる。データ放送を受信する受信機では、選局処理の後、例えば、キャッシュメモリにデータ放送受信データを蓄積すると共にデータ放送受信データに基づいて画像を表示する。
【特許文献１】特開２００３−９０１７号公報
【発明の開示】
【発明が解決しようとする課題】
【０００４】
ところで、現状の地上ディジタル放送やＢＳ放送などのデータ放送での一般ニュースやスポーツニュースは、ニュース発生時にデータ放送画面に表示される。そして、表示される件数は１０件〜２０件程度であり、その日のうちに次の新しいニュースが発生すると旧いニュースはデータ放送上では消去されていく。このため、その日のうちでも朝のニュースは夜にはもう画面に表示されないことが生じる。従って、１つのチャンネルを朝から晩まで視聴している視聴者であれば視聴チャンネルのニュースは一応全て見ていることになるが、それ以外のチャンネルのニュースは全く見ていないことになる。また、逆にチャンネルを頻繁に切り替えて見ている視聴者は多くのチャンネルのニュースを見ていることになるが、その一方で各チャンネルの幾つかのニュースを見逃している場合が生じる。また、一般にこれらのデータ放送のニュースは、チャンネル切替後に視聴者がリモコン送信機のデータボタンを押下してはじめて画面に表示されるので、データボタンの押し忘れでニュースを見逃してしまう場合もある。
【０００５】
この発明は、上記の事情に鑑み、データ放送上では既に消去されてしまったニュースを含めた一連の関連ニュースをユーザーに提示することができるディジタル放送受信装置を提供することを目的とする。
【課題を解決するための手段】
【０００６】
この発明のディジタル放送受信装置は、上記の課題を解決するために、データ放送を受信することができるディジタル放送受信装置において、ユーザーによって入力又は指定された一つ又は複数のニュース項目を登録する手段と、前記ニュース項目に合致するニュースが受信したデータ放送に存在する場合に当該ニュースのデータを当該項目に対応付けて保存する保存手段と、ユーザーによって保存済ニュースの提示の指示を受けたときに前記保存手段からニュースのデータを読み出して画面に表示する手段と、を備えたことを特徴とする。
【０００７】
上記の構成であれば、データ放送上では既に消去されてしまったニュースを含めた一連の関連ニュース（ユーザーによって入力又は指定されたニュース項目のニュース）をユーザーに提示することができる。
【０００８】
上記構成のディジタル放送受信装置において、前記ニュースのデータは映像データを含むこととしてもよい。
【０００９】
これら構成のディジタル放送受信装置において、前記ニュースのデータを取得するデータ放送チャンネルをユーザーが予め指定できるように構成されていてもよい。
【００１０】
これら構成のディジタル放送受信装置において、テレビ電源ＯＦＦ操作されがなされたときに、前記ニュースのデータを取得するためのデータ放送受信処理を実行し、その後にテレビ電源ＯＦＦ処理を実行することとしてもよい。
【００１１】
これら構成のディジタル放送受信装置において、所定時間おきにテレビ電源ＯＦＦ状態から自動的に起動して前記ニュースのデータを取得するためのデータ放送受信処理を実行し、その後に自動的にテレビ電源ＯＦＦ処理を実行することとしてもよい。
【００１２】
これら構成のディジタル放送受信装置において、最後に取得したニュースの日時と現在日時とを比較し、ニュースを最後に取得した時点から所定時間が経過しているデータ放送チャンネルをニュース取得の対象チャンネルとすることとしてもよい。
【００１３】
これら構成のディジタル放送受信装置において、取得したニュースの提示の指示を受けたときに、ニュースタイトルのリスト表示を行い、その後に各ニュースタイトルのニュース内容を順次に或いは指定されたニュースタイトルについて、ニュース内容を表示することとしてもよい。
【発明の効果】
【００１４】
この発明であれば、データ放送上では既に消去されてしまったニュースを含めた一連の関連ニュースをユーザーに提示することができるという効果を奏する。
【発明を実施するための最良の形態】
【００１５】
以下、この発明の実施形態を図１乃至図３に基づいて説明する。
【００１６】
図１において、アンテナ１は、衛星等から送られてくるディジタル放送信号を受信する。
【００１７】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１８】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報等をＣＰＵ１３に供給し、データ放送データをコンテンツ管理部２１に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１９】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データはスケーラ／ＯＳＤ回路１２を経て映像処理回路５に出力され、音声データは音声処理回路６に出力される。
【００２０】
映像処理回路５は、スケーラ／ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００２１】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってディスプレイ１６ａ及びスピーカ１６ｂを備えるモニタ１６が接続される。
【００２２】
スケーラ／ＯＳＤ回路１２はＢＭＬブラウザ２０やＣＰＵ１３から出力指示された文字情報や色情報に基づく映像データを生成する回路であり、このスケーラ／ＯＳＤ回路１２により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示、メッセージ表示などが行えることになる。
【００２３】
ＢＭＬブラウザ２０はデータ放送を画面に表示するために起動される。データ放送の表示は、後述するリモコン送信機１０に設けられたデータ放送表示キー（ｄキー）が押下されたことを検出したとき行われる。データ放送においては、最初にエントリーコンポーネントに入れられているスタートアップモジュール（moduleＩＤ＝０）の取得が試みられ、得られたスタートアップ文書に基づいて画面作成が行われる。そして、ユーザがスタートアップ画面上の各種ボタン（「天気予報」「ニュース」等）を操作することで下位階層の表示が実行される。
【００２４】
ＢＭＬブラウザ２０は表示すべき文書（データ）をコンテンツ管理部２１に要求する。コンテンツ管理部２１は要求されたデータがコンテンツ記憶部２２に存在すればそのデータを読み出してＢＭＬブラウザ２０に渡す。要求されたデータが無ければトランスポートストリームから取り出す。なお、コンテンツ管理部２１はＤＳＭ−ＣＣ（digital storage media command and control ）方式で送られてくるデータ（ＤＩＩメッセージ，ＤＤＢメッセージ等）を取り出す。コンテンツ管理部２１はデータを取得すると、このデータをコンテンツ記憶部２２に記憶させると共にＢＭＬブラウザ２０に渡す。
【００２５】
なお、データ放送のリソース特定（データ要求）にはＵＲＩ（uniform resource identifier ）が用いられる。ＵＲＩの構造を以下に示す。arib-dc://<original ＿network ＿id>.<transport＿stream＿ id>.<service ＿ id>[;content ＿ id>][.<event ＿ id>]/<component＿ tag>/<moduleName>[/<resourceName>] 
【００２６】
前記original＿network ＿idは、ネットワークに固有の識別子であり、地上、ＢＳ、ＣＳを識別する。transport ＿stream＿ id は、ＴＳに対し割り当てられる。地上ディジタル放送では、network ＿id値と同一値で運用される。service ＿ id は、ネットワーク内で個々のサービスを識別するための識別子である。component ＿ tagは、天気予報、ニュースなどのコンテンツの基点であり、このタグ以降にデータが格納されている。moduleName以下に、コンテンツを構成する部品、骨組、画像データなどが格納される。
【００２７】
リモコン送信機（リモートコントローラ）１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２８】
メモリ（ＲＡＭ、ＥＥＰＲＯＭ、フラッシュメモリ、ＲＯＭ等）１４には、ＥＰＧ画面表示用の番組情報などが格納される。
【００２９】
ＣＰＵ１３は、このディジタル放送受信装置３０における全体制御を行うものであるが、特にこの発明にかかる制御として、以下に示すごとく、データ放送に関する制御を実行する。
【００３０】
（１）ニュース項目の登録
ユーザーは、例えばメニュー画面上で例えば「ニュース蓄積」といった項目を選択する。この項目が選択されると、ＣＰＵ１３は、例えば、「既存ワードで設定」と「新規に登録」といった項目を表示させる。「既存ワードで設定」が指定されると、メーカー側で予め登録しておいたワード及びユーザーによって登録されたワードの一覧を表示する。このワードの例としては、「スポーツ一般」「サッカー」「プロ野球」「ゴルフ」「科学」「政治」「芸能」「災害」「交通」などがある。ユーザーは、リモコン送信機を操作して表示されたワード上にカーソルを載せて決定キーを押すことにより、ＣＰＵ１３にニュース項目の登録処理を実行させることができる。「新規に登録」が指定された場合、例えばＣＰＵ１３は五十音表を画面表示してリモコン送信機から送信されてくる信号から文字を認識して画面に表示し、リモコン送信機から「変換」を示す信号が送信されてきたら、前記文字群を変換してワードを生成する。そして、リモコン送信機から「登録」を示す信号が送信されてきたら、前記ワードを登録する。
【００３１】
（２）その他の条件の登録
前記メニュー画面上に「ニュース取得チャンネル」といった表記を行うとともにその近傍に入力枠を設けておく。入力枠は複数設けてあり、各入力枠に数値を入力して決定キーを押下すると、次にの入力枠が入力対象枠となる。ユーザーはリモコン送信機の方向キーを操作してカーソルを最初の入力枠に載せる。そして、４チャンネルのニュースを希望するのであれば、「４」のキーを押下して決定キーを押下する。複数のチャンネルのニュースを希望するのであれば、次の入力枠に次のチャンネル番号を入力する。ＣＰＵ１３は、入力された数値を例えばメモリ１４に作成してあるニュース取得チャンネルテーブルに格納する。なお、「全チャンネル」と表記した項目上にカーソルを載せて決定キーが押下することで全チャンネルをニュース取得チャンネルとすることもできる。全チャンネルは、或る一つの放送種（例えば、地上波のみなど）の全チャンネルでもよいし、幾つかの放送種（例えば、地上波とＢＳなど）の全チャンネルでもよいし、全放送種（例えば、地上波とＢＳとＣＳなど）の全チャンネルでもよい。
【００３２】
（３）ニュースの抽出と保存
ＣＰＵ１３は、受信したデータ放送のデータ内に前記ワード（ニュース項目）に合致するワードを有する文字データ（ニュースタイトル，ニュース内容）が存在するかどうかを判断（検索）する。なお、前記ワードに加えて関連ワードについても判断（検索）を行うようにしてもよい。例えば、「サッカー」に対して「ワールドカップ」「イタリアリーグ」「プレミアリーグ」などの関連ワード（類似ワード）を予め対応付けておけばよい。ＣＰＵ１３は、抽出したニュースの文字データを、メモリ１４或いはコンテンツ記憶部２２に作成してあるニュースライブラリのなかの例えば「サッカー」のホルダーに保存する。また、各ニュースの内容とともに取得時の日時情報、放送種別、チャンネル番号も同時に記録される。
【００３３】
なお、ニュース内に映像データが含まれている場合には、映像データも保存することとしてもよい。データ放送においては、ニュースタイトルが指定されて決定キーが押下されたときに、その下位階層のファイルであるニュース内容（文字データ）及び映像データが表示されるようになっている。従って、この下位階層のファイル全体を保存することとすれば、ニュース内容として映像データも保存されることになる。また、文字データのみの保存も可能であり、映像データのみの保存も可能である。その指定をユーザーが行えるようにしておいてもよい。
【００３４】
また、メモリ容量の関係でそれ以上のニュース保存が行えなくなったような場合には、旧いニュースを消去して新しいニュースを保存していくようにしてもよい。また、例えば、ユーザーによる全て又は個別のニュース消去の指令で適宜消去を行うこととしてもよい。また、例えば、午前４時に全てのニュースを消去するなどのユーザー設定が行えるようにしておいてもよい。
【００３５】
（４）ニュース抽出の起動タイミング
ＣＰＵ１３は、テレビＯＮ状態において、データ放送ボタンが操作されたときに、先述したごとく、取得したデータをコンテンツ記憶部２２に記憶させると共にＢＭＬブラウザ２０に渡すが、そのチャンネルが前記ニュース取得チャンネルであるときには、前述したニュース抽出処理も実行する。また、ＣＰＵ１３は、テレビ電源ＯＦＦの指令を受けたとき、テレビ電源ＯＦＦ処理を行う前に、ニュース取得チャンネルテーブルから順次にチャンネル番号を読み出してチューナに選局処理を実行させ、当該チャンネルからデータ放送のデータを取得し、前述したニュース抽出処理を実行する。ニュース取得チャンネルテーブル上で指定されている全てのチャンネルについてニュース抽出処理を実行したら、テレビ電源ＯＦＦ処理を実行する。
【００３６】
また、例えばＣＰＵ１３は、最後に取得したニュースの日時と現在時刻とを比較し、ニュースを最後に取得した時点から所定時間（例えば、３時間）が経過したかどうかを判断する。そして、所定時間が経過しているときには、テレビ電源ＯＦＦ状態から自動的に起動する。この起動においてはデータ取得のためのチューナ２等の起動を行うが、映像表示のための回路の起動は行わない。ＣＰＵ１３は、前記ニュース取得チャンネルテーブル上で指定されているチャンネルについてデータ放送のニュース抽出処理を実行し、その後に自動的にテレビ電源ＯＦＦ処理を実行する。
【００３７】
（５）ニュース提示
ニュース提示のタイミングとしては、例えば、メニュー画面上の「ニュースライブラリの視聴」がリモコン送信機の操作で選択されときがある。また、リモコン送信機の「ニュースライブラリの視聴」キーが押下されたときがある。また、テレビＯＮの操作が行われたときに、ＣＰＵ１３は、ＯＳＤ機能を用いて、例えば、「未視聴のニュースライブラリが存在しています。その視聴を行うときには”１”を、行わないときには”２”を押して下さい」といったメッセージを画面に表示する。そして、リモコン送信機の１キーの操作を検出したときに、ニュースを提示することとしてもよい。ニュース提示は、例えば、図２に例示するように、保存したニュースタイトルを日付の旧い順で上からリスト表示する。勿論、このリスト上において、放送種別、チャンネル番号、取得日時などを表してもよい。各ニュースの内容提示は、例えば、所望のニュースタイトル上にカーソルを載せて決定キーを押下することにより表示することとしてもよい。また、「上から順に提示」といった選択項目をユーザーが選択した場合、ＣＰＵ１３は、リモコン送信機の方向キー（下キー）の押下を検出するたびに次段のニュースタイトルのニュース内容を表示していくようにしてもよい。
【００３８】
図３は、上記ニュース取得に関する処理内容の一例を示したフローチャートである。まず、不揮発性メモリから登録されているニュース項目を取得する（ステップＳ１）。次に、不揮発性メモリからニュース取得チャンネル一覧を取得する（ステップＳ２）。次に、ニュース取得を実行していないニュース取得チャンネルが存在するかどうかを判断する（ステップＳ３）。存在するのであれば次のニュース取得チャンネルを選局する（ステップＳ４）。そして、当該チャンネルにデータ放送が存在するかどうかを判断する（ステップＳ５）。データ放送がなければステップＳ３に戻る。データ放送がある場合にはデータ放送のニュースを取得する（ステップＳ６）。そして、前記ニュース項目に合致するニュースかどうかを判断する（ステップＳ７）。前記ニュース項目に合致するニュースであれば、データ放送ニュースから取得CH・日時・タイトル・ニュース内容・関連映像を抽出し、不揮発性メモリのニュースライブラリに記録し（ステップＳ８）、ステップＳ９に進む。合致するニュースが無ければ直ちにステップＳ９に進む。データ放送ニュースがもう無いのであれば（ステップＳ９でＮＯ）、ステップＳ３に進み、データ放送が未だ有れば（ステップＳ９でＹＥＳ）、ステップＳ６に進む。ステップＳ３においてニュースを取得すべきデータ放送チャンネルがもうなくなったと判断したときには、テレビ電源ＯＦＦ処理を行う（ステップＳ１０）。なお、ニュースを取得すべき各データ放送チャンネルについてフラグを設定しておき、ステップＳ８の処理を経たデータ放送チャンネルについては前記フラグに０をセットし、その時点から所定時間が経過したときに（例えば３時間が経過したときに）、前記フラグに１をセットすることとしてもよい。前記フラグに１がセットされているチャンネルはステップＳ３でＹＥＳと判断されることになる。そして、ステップＳ１の起動（ニュース取得のための自動テレビＯＮ）はステップＳ１０を経てから所定時間（例えば前記所定時間よりも短い１時間）ごとに実行することとしてもよい。
【００３９】
なお、上記の例では、受信したデータ放送のニュースデータ内にニュース項目に合致するワードを有するニュースタイトル及びニュース内容が存在するかどうかを判断（検索）したが、前記ニュースタイトルだけを対象として前記ワードが存在するかどうかを判断することとしてもよい。ただし、現在提供されているニュースの多くは、文字数の少ないニュースタイトルの一覧がまず表示され、視聴者が関心をもったニュースタイトルをリモコン送信機の操作で選択することにより、詳細にニュース内容が表示されるようになっている。従って、放送局でのニュースタイトルの付け方があまり良くなければ、適切にニュースを抽出できない場合があると考えられる。従って、上記実施例のごとく、受信したデータ放送のニュースデータ内にニュース項目に合致するワードを有するニュースタイトル及びニュース内容が存在するかどうかを判断（検索）するのが望ましい。
【００４０】
また、ニュースの内容にタグを付する運用が行われる可能性もある。すなわち、サッカーのニュースであれば、サッカーニュースであることを示すタグをニュース内容に付加し、政治のニュースであれば、政治ニュースであることを示すタグをニュース内容に付加すことが可能である。このような場合には、ワードによる合致検索ではなく、上記タグの内容を判断することで、各ニュース内容がニュース項目に合致するニュースかどうかを判断することが可能になる。
【図面の簡単な説明】
【００４１】
【図１】この発明の実施形態のディジタル放送受信装置を示したブロック図である。
【図２】抽出したニュースのリスト画面例を示した説明図である。
【図３】処理内容を示したフローチャートである。
【符号の説明】
【００４２】
１    アンテナ
２    チューナ
３    デマルチプレクサ（ＤＥＭＵＸ）
４    ＡＶデコーダ
１２  スケーラ／ＯＳＤ回路
１３  ＣＰＵ
１４  メモリ
２１  コンテンツ管理部
２２  コンテンツ記憶部
【図１】
2007096715.tif 000003
【図２】
2007096715.tif 000004
【図３】
2007096715.tif 000005